(57)【特許請求の範囲】
【請求項１】
半球面を有する１８０度の半球部および前記半球部と同じ半径の円柱部を結合する雄型と、前記雄型とによりドームカバーのためのキャビティが形成される雌型とを有するドーム状樹脂成形品用金型を用いて射出成形する透光性を有するドームカバーの製造方法において、
前記雄型の半球部は、前記半球部の曲率と同じ曲率を有する砥石を用いて、１８０度を超える曲面部を形成した後、１８０度の前記半球面を残して、１８０度を越える曲面部を切除することを特徴とするドームカバーの製造方法。
【発明の詳細な説明】
【０００１】
【発明の属する技術分野】
本発明は、監視カメラ等に使用されて、１８０度の精密な半球面を有するドームカバーを製造するための方法に関する。
【０００２】
店舗や銀行等において使用される監視カメラは、従来は、カメラの方向を固定して、ある決められた範囲を監視するように設定されていたが、これでは死角が大きく十分な監視ができないため、１台のカメラを水平方向に回動させるパン動作や垂直方向に回動させるチルト動作を組み合わせて、１つのポイントから広範囲に渡って監視できるような装置が開発されてきた。しかしながら、従来の監視カメラは、明らかに監視カメラと分かる形状および状態で天井等に取り付けられていたため、善意の者に威圧感を与えるばかりでなく、デザイン的にも好ましいものではなかった。このため、近年の監視カメラは、目立たないように小型化するとともに、内部のカメラ部、チルト機構部およびパン機構部をドームカバーで覆ってデザイン性を高めたものが提案されている。
【０００３】
図４はこのような従来のドーム型監視カメラを示している。図４において、１は監視カメラのカメラ本体部であり、２は取付金具、３は透明なドームカバーである。４はドームカバー３の内側に配置された不透明または半透明のインナーカバーであり、５はインナーカバー４の開口部４ａから覗くカメラレンズである。６はカメラ本体部１のカメラ部、チルト機構部およびパン機構部に電力を供給するための電源コード、７はカメラ本体部１のカメラ部からの映像信号の出力および制御信号の授受を行うための同軸ケーブルである。このような監視カメラにおけるドームカバー３は、アクリル樹脂等により射出成形により形成されるが、カメラ部で撮影する必要上、その表面が滑らかで肉厚が均一であること、およびカメラレンズ５をチルト機構部により垂直方向に９０度、およびパン機構部により水平方向に３６０度回転させる必要から、完全に近い半球面を有することが要件となる。
【０００４】
図５は従来のこのようなドームカバーを成形するための金型を示している。図５において、８は雌型、９は雄型であり、これらによりドームカバーのためのキャビティ１０が形成されている。キャビティ１０は、１８０度の半球部１０ａとそれに連続して取付部となる直線部１０ｂとで形成されている。このような金型の雌型８および雄型９を製作する際は、雌型８および雄型９のそれぞれの半球部の曲率に一致した曲面を有する砥石を回転させながら、半球部の中心０を基点として頂上から周辺に向けて移動させるとともに、雌型８および雄型９をそれぞれの半球部の中心０を通る垂直軸Ｖを中心に回転させることにより、半球部を研削する。雌型８および雄型９の直線部の研削は、砥石を垂直軸Ｖに平行に移動させて行う。
【０００５】
【発明が解決しようとする課題】
しかしながら、上記従来のドームカバーの成形金型では、雄型を研削する際に、半球部が終了する位置の付近では、そのまま球面砥石を移動させては直線部が形成できないので、球面砥石による研削を中止し、他の砥石を使用して研削するので、球面部の終了する付近の曲面が正確に成形されず、したがって、その成形品であるドームカバーを使用した場合に、水平方向付近の映像が歪むという課題があった。これに対し、雌型の球面部は、球面砥石を使用しても、球面部の終了付近では、砥石が雌型がから逃げる方向に移動するので、１８０度のほぼ完全な半球面を製作することができる。
【０００６】
本発明は、このような従来の課題を解決するものであり、ほぼ完全な１８０度半球面を有するドームカバーを製造するための方法を提供することを目的とする。
【０００７】
本発明は、上記課題を解決するために、ドーム状樹脂成形品用金型の雄型を、半球部と円筒部とに分割して、これらを結合して雄型としたものである。雄型を半球部と円筒部とに分割したので、半球部を完全に近い半球面に研削することができ、精密なドーム状樹脂成形品を得ることができる。
【０００８】
【発明の実施の形態】
本発明の請求項１に記載の発明は、半球面を有する１８０度の半球部および前記半球部と同じ半径の円柱部を結合する雄型と、前記雄型とによりドームカバーのためのキャビティが形成される雌型とを有するドーム状樹脂成形品用金型を用いて射出成形する透光性を有するドームカバーの製造方法において、前記雄型の半球部は、前記半球部の曲率と同じ曲率を有する砥石を用いて、１８０度を超える曲面部を形成した後、１８０度の前記半球面を残して、１８０度を越える曲面部を切除することを特徴とするものであり、ほぼ完全な精密な１８０度半球面を有するドームカバーを製造できるので、どの角度においても歪みのない映像を得ることができるという作用を有する。
【００１１】
（実施の形態）
図１は本発明の実施の形態を示すドーム状樹脂成形品を成形するための金型の断面図である。図１において、１１は雌型、１２は雄型であり、これらによりドームカバーのためのキャビティ１３が形成されている。キャビティ１３は、１８０度の半球部１３ａとそれに連続して取付部となる直線部１３ｂとで形成されている。また、雄型１２は１８０度の半球部１４とこれに印籠継手状の嵌合部１６を介して接合された円柱部１５とを備えている。
【００１２】
図２は雄型１２の製造方法を示している。図２（ａ）において、まず半球部１４の基となる部分球部２１ａを有する母型２１を切削により成形し、母型２１をその中心を回転チャック２２の回転軸に一致させて、回転チャック２２に電磁力または真空吸着により保持する。次に半球部１４の曲率と同じ曲率の曲面を有する砥石２３を回転させながら部分球部２１ａの中心０を基点に部分球部２１ａの頂上から周辺にかけて移動させるとともに、母型２１を回転チャック２２により回転させて１８０度を越える範囲まで研削する。次に研削を終了した部分球部２１ａを１８０度の半球部１４を残して切除し、図２（ｂ）に示すように、半球部１４に円柱部１５を嵌合部１６を介して接合して雄型１２を製作する。
【００１３】
別の方法として、図３（ａ）に示すように、まず半球部１４の基となる半球部２１ｂとこれに連続する基台部２１ｃとを、印籠継手状の嵌合部１６により固定して母型２１を成形し、母型２１をその中心を回転チャック２２の回転軸に一致させて、回転チャック２２に電磁力または真空吸着により保持する。次に半球部１４の曲率と同じ曲率の曲面を有する砥石２３を回転させながら半球部２１ｂの中心０を基点に半球部２１ｂの頂上から周辺にかけて移動させるとともに、母型２１を回転チャック２２により回転させて１８０度を越えて基台部２１ｃまで研削する。次に研削を終了した半球部２１ｂを基台部２１ｃから分離して完成した半球部１４とし、図３（ｂ）に示すように、半球部１４に円柱部１５を嵌合部１６を介して接合して雄型１２を製作する。
【００１４】
このようにした製造した金型を用いてアクリル樹脂等によりドームカバーを射出成形すると、雄型１２の半球部１４はほぼ完全に近い半球面を有するので、頂上から周辺にかけて理想的な半球面を有する製品を得ることができ、したがってこのようなドームカバーを用いた監視カメラは、どの角度においても歪みのない映像を得ることができる。
【００１５】
【発明の効果】
本発明は、上記実施の形態から明らかなように、半球面を有する１８０度の半球部およびこの半球部と同じ半径の円柱部を結合する雄型と、この雄型とによりドームカバーのためのキャビティが形成される雌型とを有するドーム状樹脂成形品用金型を用いて射出成形する透光性を有するドームカバーの製造方法において、
雄型の半球部は、半球部の曲率と同じ曲率を有する砥石を用いて、１８０度を超える曲面部を形成した後、１８０度の半球面を残して、１８０度を越える曲面部を切除するようにしたので、ほぼ完全な精密な１８０度半球面を有するドームカバーを製造することができ、どの角度においても歪みのない映像を得ることができる。
【図面の簡単な説明】
【図１】本発明の実施の形態を示すドーム状樹脂成形品用金型の断面図
【図２】（ａ）（ｂ）同金型の雄型を製造する工程を示す正面図
【図３】（ａ）（ｂ）同金型の雄型を製造する別の工程を示す正面図
【図４】ドームカバーを備えた監視カメラの斜視図
【図５】従来のドーム状樹脂成形品用金型の断面図
【符号の説明】
１１  雌型
１２  雄型
１３  キャビティ
１４  半球部
１５  円柱部
１６  嵌合部
２１  母型
２１ａ  部分球部
２１ｂ  半球部
２１ｃ  基台部
２２  回転チャック
２３  砥石
【図１】
0003649902.tif 000002
【図２】
0003649902.tif 000003
【図３】
0003649902.tif 000004
【図４】
0003649902.tif 000005
【図５】
0003649902.tif 000006